(57)【要約】【課題】アミューズメント施設で、無料入場者、割引入場者などの入場者数は係員が手押しカウンタにて計数していたが、計数ミスやその後のパソコンへの入力の手間が発生していた。【解決手段】入場ゲート１１、１２、１３、１４にタッチパネル式パソコン１５、１６、１７、１８を設置し、このタッチ式パソコンには無料入場者などの特殊入場者数をカウントするタッチ式入場者登録ボタン２２、訂正ボタン２３が無料入場者、割引入場者数に対応して設けられており、各カウント数値は表示されるように構成されている。【選択図】    図１
2004157825.tif 000002
【特許請求の範囲】
【請求項１】
券売機によって入場券の発券を受けて入場する一般入場者と無料入場者あるいは割引入場者などの特殊入場者が入場する施設において、この施設の入場ゲートにタッチパネル入力方式の入力手段を設置し、この入力手段には、前記特殊入場者の入場の都度タッチ方式にて前記特殊入場者種別毎にカウントする入場者登録部ならびに前記特殊入場者種別毎に入力したカウント値を訂正する訂正部とを具備することを特徴とする入場者数集計管理システム。
【請求項２】
前記入力手段には前記特殊入場者数、一般入場者数ならびに両者を加算した入場者数を表示する表示部を具備することを特徴とする請求項１記載の入場者数集計管理システム。
【発明の詳細な説明】
【０００１】
【発明の属する技術分野】
本発明は、券売機によって入場券の発券を受けて入場する一般入場者と無料入場者あるいは割引入場者などの特殊入場者が入場する施設における入場者数集計管理システムに関する。
【０００２】
【従来の技術】
テーマパークなどのアミューズメント施設にて入場者数を集計する場合、自動券売機で入場券を購入して入場した人数は、自動券売機とパソコンが連結しているため、自動的に集計できる。これに対し、自動券売機を利用せずに無料で入場した人数や割引で入場した人数の集計は、係員が各々手押しカウンタにて記録している。このため、定期的にカウントしたカウント値をパソコンに入力する手間が発生していた。
【０００３】
また、駐車場への入場時にタッチパネル式モニターによって、運転手は階別の場内の駐車状況を確認し、空車スペースをタッチすることで、その場所の予約を可能とする方式が知られている。予約が確定すると予約カードを発行する。運転手は、各階に設けられたモニターにより状況を把握しながら、予約場所に直行するか、場合によっては別の場所に駐車を変更することができる。これらの処理は集中管理サーバで行う。空車場所の情報は、各駐車場所に設置された検知装置で各階に備えられた管理パソコンへ無線によって集められ、管理サーバに登録され管理される。（例えば、特許文献１参照）。
【０００４】
【特許文献１】
特開２０００−２５１０９９号公報
【０００５】
【発明が解決しようとする課題】
手押しカウンタによるカウント操作に代わり、パソコン側で直接読み取れる方式に変更し、カウント値集計後のパソコンへの数値入力を省き、入力ミスを低減することを目的とする。これにより繁忙時でも一度の操作でパソコンへ登録できるためスムーズに業務がこなせない。また、特許文献１によれば、駐車場での駐車場所予約をタッチパネル式モニターを利用して行うことが可能であるが、この技術を利用しても、アミューズメント施設での通常の券売機にて入場券の発券を受けた入場者とは異なる特殊入場者の正確なカウントを可能にすることは困難である。
【０００６】
本発明は、上述の課題を解決するためになされたもので、アミューズメント施設などでの通常の券売機にて入場券の発券を受けた入場者とは異なる特殊入場者の正確なカウントを可能にする施設での入場者数集計管理システムを提供することを目的とする。
【０００７】
【課題を解決するための手段】
上記課題を解決するために請求項１の発明による入場者数集計管理システムは、券売機によって入場券の発券を受けて入場する一般入場者と無料入場者あるいは割引入場者などの特殊入場者が入場する施設において、この施設の入場ゲートにタッチパネル入力方式の入力手段を設置し、この入力手段には、前記特殊入場者の入場の都度タッチ方式にて前記特殊入場者種別毎にカウントする入場者登録部ならびに前記特殊入場者種別毎に入力したカウント値を訂正する訂正部とを具備することを要旨とする。
【０００８】
更に、請求項２の発明による入場者数集計管理システムは、前記入力手段には前記特殊入場者数、一般入場者数ならびに両者を加算した入場者数を表示する表示部を具備することを要旨とする。
【０００９】
【発明の実施の形態】
テーマパークなどのアミューズメント施設には、各所に入場ゲートがあり、それぞれ自動券売機が設置されており、通常の入場者はこの自動券売機にて入場券を購入し、入場ゲートから入場する。この場合には、自動券売機に接続された管理サーバに発券データが入力され、以後の管理データとされる。しかしながら、無料招待券所持者、割引券を所有している入場者などの特殊入場者も施設入場者として入場する。
【００１０】
以下に本発明の実施の形態を図を参照して説明する。図１は本発明の実施形態の構成を示すシステム構成図である。以下の例ではアミューズメント施設に東門ゲート１１、西門ゲート１２、北門ゲート１３、南門ゲート１４が設置されている。各ゲート１１、１２、１３、１４には、タッチパネル式パソコン１５、１６、１７，１８が設置されており、各タッチパネル式パソコン１５、１６、１７，１８ならびに自動券売機６、７、８、９は管理用サーバ１９に接続されている。また、各タッチパネル式パソコン１５、１６、１７，１８ならびに自動券売機６、７、８、９は、施設内ＬＡＮに接続されている。
【００１１】
各入場ゲート１１、１２、１３、１４では、一般入場者ならびに特殊入場者が来場した場合、一般入場者については自動券売機６、７、８、９から管理用サーバ１９へデータが伝送される。特殊入場者については、係員が特殊入場者の入場種別に応じてタッチパネル式パソコン１５、１６、１７、１８の該当項目をタッチすることによって、各入場種別毎の入場者数が管理用サーバ１９へ伝送され、以後の管理データとされる。
【００１２】
タッチパネル式パソコンのカウント画面構成を図２を用いて説明する。入場者数カウント画面２０は、南門ゲート１４を例に示してあるが、他の入場ゲートについても同様である。入場者数カウント画面２０では、下部に点線で示した特殊入場者数カウント部２１が設けられており、上部に各入場ゲート別入場者数などが表示されている。特殊入場者数カウント部２１は、入場者登録ボタン２２、訂正ボタン２３が設けられている。入場者登録ボタン２２は、無料入場者登録ボタン２２ａ、割引入場者登録ボタン２２ｂ、その他入場者登録ボタン２２ｃがタッチカウント方式で作動するようになっており、これらに隣接して各ボタンに対応した無料入場者数訂正ボタン２３ａ、割引入場者数訂正ボタン２３ｂ、その他入場者数訂正ボタン２３ｃが設けられている。
【００１３】
画面上部には、総入場者数、東門総入場者数、西門総入場者数、北門総入場者数、当門（南門）総入場者数、当門（南門）有料者入場数が各々表示されている。南門ゲートでは、招待券などを所有した無料入場者が来場した場合には、無料入場者登録ボタンを入場者毎にタッチし、入場者数が加算される。もし、誤操作によってカウントアップしてしまったときには、訂正ボタンをタッチして、減算して正しい入場者数に訂正することができる。このような操作は、割引入場者、その他入場者のカウント、訂正においても同様である。
【００１４】
このようにして特殊入場者に関して簡単かつ正確なタッチ式によって入場者をカウントすることができ、また、その場においてカウントアップされている集計値が目視で確認することができる。
【００１５】
次に図３によって動作処理フローを説明する。スタート（Ｓ１）の後、入力操作が選択される（Ｓ２）。入場者数登録ボタンがタッチ操作されると、登録操作に対応する現在の入場者数に１を加算し、加算後、該当する入場者数表示画面に数値を表示する（Ｓ３）。訂正ボタンが操作されると、訂正操作に対応する現在の入場者数に１を減算し、減算後、該当する入場者表示欄に数値を表示する（Ｓ４）。
【００１６】
このようにしてカウントされると、当門の総入場者数を計算（有料の一般入場者、その他入場者までを加算）し、総入場者数表示欄に数値を表示する（Ｓ５）。各門の入場者数を記録しているデータエリア（メモリ領域）に対して今回の加算により変更された項目のみデータを更新する（Ｓ６）。次いで、他門で更新されたデータを読み込み、他門の総入場者数と全門の総入場者数を表示する（Ｓ７）。このようにしてカウントならびに表示が行われる（Ｓ８）。
【００１７】
【発明の効果】
本発明により、手押しカウンタにてカウントした数値を、キーボード操作によりパソコンへ入力する手間が省け、入力ミスを低減できるようになった。また、一度の操作でパソコンへ登録できるため、随時入場者数の把握が可能となる。入場ゲートがいくつもあるような規模の大きな施設では、ＬＡＮを使用したネットワークで結合できるため各入場ゲートの入場者数もタイムリーに把握できる。
【図面の簡単な説明】
【図１】本発明の実施形態を示すシステム構成図。
【図２】本発明の実施形態を説明するための画面構成図。
【図３】本発明の実施形態の動作を説明するためのフローチャート。
【符号の説明】
６、７、８、９…自動券売機
１０…施設ＬＡＮ
１１…東門ゲート
１２…西門ゲート
１３…北門ゲート
１４…南門ゲート
１５、１６、１７、１８…タッチパネル式パソコン
１９…管理用サーバ
２０…入場者数カウント画面
２１…特殊入場者カウント部
２２…入場者登録ボタン
２３…訂正ボタン
【図１】
2004157825.tif 000003
【図２】
2004157825.tif 000004
【図３】
2004157825.tif 000005